(57)【特許請求の範囲】
【請求項１】
外部記憶装置が装着される複数の装着部と、
前記装着部に装着される外部記憶装置毎に複製指定をユーザが設定するための設定手段と、
前記装着部に装着された外部記憶装置毎に設定された各前記複製指定に従って、元データから新たなデータを生成する生成手段と、
前記装着部に装着された外部記憶装置に対するデータの書込指令をユーザから受け付ける受付手段と、
前記受付手段により書込指令を受け付けたときに、前記装着部に装着された複数の外部記憶装置に対して前記生成手段により生成された生成データの書き込みを実行する書込手段とを備え、
前記書込手段は、前記複製指定が設定されており、かつ複数部数の複製処理を行う前記書込指令が受け付けられた場合、前記装着部に装着された第１の外部記憶装置に対して設定された前記複製指定に従って前記生成手段により生成された第１生成データを、前記第１の外部記憶装置に書き込むとともに、前記装着部に装着された第２の外部記憶装置にも前記第１生成データを書き込み、前記第２の外部記憶装置に対して設定された前記複製指定に従って前記生成手段により生成された第２生成データを、前記第２の外部記憶装置に書き込むとともに、前記第１の外部記憶装置にも前記第２生成データを書き込む処理を、一度の前記書込指令により行うことを特徴とするデータ書込装置。
【請求項２】
前記設定手段では、データを印刷又は表示する際の解像度を前記複製指定として設定可能であることを特徴とする請求項１に記載のデータ書込装置。
【請求項３】
前記生成手段は、前記複製指定を示す文字が含まれた文字列を前記生成データのファイル情報として、前記生成データを生成することを特徴とする請求項１又は２に記載のデータ書込装置。
【請求項４】
原稿の読み取りを行うことでデータを取得する読取手段を備え、
前記書込手段は、前記装着部に装着された複数の外部記憶装置に対して、前記読取手段により読み取られたデータの書き込みを実行することを特徴とする請求項１ないし３のいずれか１つに記載のデータ書込装置。
【請求項５】
外部記憶装置が装着される複数の装着部を備えるデータ書込装置の制御用コンピュータを、
前記装着部に装着される外部記憶装置毎に複製指定をユーザが設定するための設定手段、
所定条件に従って元データから新たなデータを生成する生成手段、
前記装着部に装着された外部記憶装置に対するデータの書込指令をユーザから受け付ける受付手段、及び
前記受付手段により書込指令を受け付けたときに、前記装着部に装着された複数の外部記憶装置に対して前記生成手段により生成された生成データの書き込みを実行する書込手段として機能させるとともに、
前記書込手段は、前記複製指定が設定されており、かつ複数部数の複製処理を行う前記書込指令が受け付けられた場合、前記装着部に装着された第１の外部記憶装置に対して設定された前記複製指定に従って前記生成手段により生成された第１生成データを、前記第１の外部記憶装置に書き込むとともに、前記装着部に装着された第２の外部記憶装置にも前記第１生成データを書き込み、前記第２の外部記憶装置に対して設定された前記複製指定に従って前記生成手段により生成された第２生成データを、前記第２の外部記憶装置に書き込むとともに、前記第１の外部記憶装置にも前記第２生成データを書き込む処理を、一度の前記書込指令により行うことを特徴とするプログラム。
【発明の詳細な説明】
【技術分野】
【０００１】
本発明は、データを管理するデータ書込装置、及びデータ書込装置に組み込まれたコンピュータを機能させるプログラムに関するものである。
【背景技術】
【０００２】
例えば、特許文献１に記載の発明では、スキャナにて原稿から読み取られたデータや既にメモリに記憶されているデータを外部記憶装置に書き込む機能を有している画像形成装置が記載されている。
【特許文献１】特開２００７−０２８１７９号公報
【発明の開示】
【発明が解決しようとする課題】
【０００３】
しかし、特許文献１に記載の発明では、外部記憶装置毎にユーザが書込指令をしなければならないので、例えば、同じデータを複数の外部記憶装置に書き込みたい場合には、ユーザは、書込処理を実行させたい外部記憶装置の数だけ書込指令を繰り返し行われなければならず、利便性がよいとは言い難い。
【０００４】
本発明は、上記点に鑑み、データ書込装置の利便性を向上させることを目的とする。
【課題を解決するための手段】
【０００５】
本発明は、上記目的を達成するために、請求項１に記載の発明では、外部記憶装置が装着される複数の装着部と、装着部に装着される外部記憶装置毎に複製指定をユーザが設定するための設定手段と、装着部に装着された外部記憶装置毎に設定された各複製指定に従って、元データから新たなデータを生成する生成手段と、装着部に装着された外部記憶装置に対するデータの書込指令をユーザから受け付ける受付手段と、受付手段により書込指
令を受け付けたときに、装着部に装着された複数の外部記憶装置に対して生成手段により生成された生成データの書き込みを実行する書込手段とを備え、書込手段は、複製指定が設定されており、かつ複数部数の複製処理を行う書込指令が受け付けられた場合、装着部に装着された第１の外部記憶装置に対して設定された複製指定に従って生成手段により生成された第１生成データを、第１の外部記憶装置に書き込むとともに、装着部に装着された第２の外部記憶装置にも第１生成データを書き込み、第２の外部記憶装置に対して設定された複製指定に従って生成手段により生成された第２生成データを、第２の外部記憶装置に書き込むとともに、第１の外部記憶装置にも第２生成データを書き込む処理を、一度の書込指令により行うことを特徴とする。
【０００６】
これにより、請求項１に記載の発明では、書込指令を一度受け付けると、その一度の書込指令により、複数の外部記憶装置に対してデータの書き込みが実行されるので、書込処理を実行させたい外部記憶装置の数だけ書込指令を繰り返し行う必要がなく、データ書込装置の利便性を向上させることができる。
【０００７】
また、請求項１に記載の発明では、複製指定に従って元データから新たなデータを生成する生成手段を備え、書込手段は、装着部に装着された複数の外部記憶装置に対して生成手段により生成された生成データの書き込みを実行することを特徴とする。
【０００８】
これにより、請求項１に記載の発明では、一度の書込指令により、生成手段により生成された生成データが複数の外部記憶装置に対して書き込まれるので、データ書込装置の利便性を更に向上させることができる。
さらに、請求項１に記載の発明では、装着部に装着される外部記憶装置毎にユーザが複製指定を設定するための設定手段を備えることを特徴とするので、データ書込装置の利便性を更に向上させることができる。
【０００９】
また、請求項１に記載の発明では、例えば、生成手段により３種類の生成データが新たに生成された場合には、複数の外部記憶装置それぞれに３種類の生成データが書き込まれるので、書込処理を実行させたい外部記憶装置の数だけ書込指令を繰り返し行う必要がなく、データ書込装置の利便性を向上させることができる。
【００１０】
【００１１】
なお、請求項２に記載の発明では、設定手段では、データを印刷又は表示する際の解像度を複製指定として設定可能であることを特徴とするものである。
請求項３に記載の発明では、生成手段は、複製指定を示す文字が含まれた文字列を生成データのファイル情報として、生成データを生成することを特徴とする。
【００１２】
これにより、請求項３に記載の発明では、ユーザは、生成手段により生成された生成データの概要を容易に推測することができる。
なお、請求項４に記載の発明では、原稿の読み取りを行うことでデータを取得する読取手段を備え、書込手段は、装着部に装着された複数の外部記憶装置に対して、読取手段により読み取られたデータの書き込みを実行することを特徴とするものである。
【００１３】
請求項５に記載の発明では、外部記憶装置が装着される複数の装着部を備えるデータ書込装置の制御用コンピュータを、装着部に装着される外部記憶装置毎に複製指定をユーザが設定するための設定手段、所定条件に従って元データから新たなデータを生成する生成手段、装着部に装着された外部記憶装置に対するデータの書込指令をユーザから受け付ける受付手段、及び受付手段により書込指令を受け付けたときに、装着部に装着された複数の外部記憶装置に対して生成手段により生成された生成データの書き込みを実行する書込
手段として機能させるとともに、書込手段は、複製指定が設定されており、かつ複数部数の複製処理を行う書込指令が受け付けられた場合、装着部に装着された第１の外部記憶装置に対して設定された複製指定に従って生成手段により生成された第１生成データを、第１の外部記憶装置に書き込むとともに、装着部に装着された第２の外部記憶装置にも第１生成データを書き込み、第２の外部記憶装置に対して設定された複製指定に従って生成手段により生成された第２生成データを、第２の外部記憶装置に書き込むとともに、第１の外部記憶装置にも第２生成データを書き込む処理を、一度の書込指令により行うことを特徴とする。
【００１４】
これにより、請求項５に記載の発明では、請求項１に記載の発明と同様に、書込指令を一度受け付けると、その一度の書込指令により、複数の外部記憶装置に対してデータの書き込みが実行されるので、書込処理を実行させたい外部記憶装置の数だけ書込指令を繰り返し行う必要がなく、データ書込装置の利便性を向上させることができる。
【発明を実施するための最良の形態】
【００１５】
本実施形態は、印刷機能、ファクシミリ機能及びスキャナ機能等が一体化されたプリンタ（以下、多機能装置という。）に本発明に係るデータ書込装置及びプログラムを適用したものであり、以下に本発明の実施形態を図面と共に説明する。
【００１６】
１．図面の説明
図１は本実施形態に係る多機能装置１０の概要を示すブロック図であり、図２は多機能機１０で実行させる処理をユーザが選択するためのメニュー画面の一例を示す図であり、図３は、図２の「複製記憶設定」がユーザにより選択された場合に表示される設定メニュー画面の一例を示す図である。
【００１７】
図４は、図３の「複製記憶設定」において設定可能な設定項目の概念図であり、図５は、図２において「振り分け処理」がユーザにより選択された場合に起動される制御の一例を示すフローチャートであり、図６〜図１０は、振り分け処理の出力結果イメージを示す概念図である。
【００１８】
２．多機能装置の概要（図１参照）
多機能装置１０は、図１に示すように、記録用紙等の記録媒体に画像を形成する記録部１１、ユーザにより操作される操作パネル１２、各種の情報を表示する表示部１３、外部記憶装置３０が着脱可能に装着される第１〜第３接続端子１４Ａ〜１４Ｃ、原稿から画像情報を読み取り、読み取った画像情報から画像データを生成するスキャナ部１５、ファクシミリ回路１６、記憶部１７、ＮＩＣ（Network Interface Card）１８等のネットワーク接続用のインターフェース、並びに記録部１１等を制御する制御部１９を有して構成されている。
【００１９】
なお、本実施形態に係る表示部１３は、ユーザが表示部１３に触れたか否か、及び触れた位置を検出することが可能ないわゆるタッチパネル機能を有しており、多機能装置１０（制御部１９）は、タッチパネル機能を通じてユーザからの指示を受け付けることができる。
【００２０】
また、制御部１９は、ＣＰＵ、ＲＯＭ及びＲＡＭ等からなる周知のマイクロコンピュータにて構成されたものであり、図５に示す制御を実行するためのプログラム等は、ＲＯＭに記憶されている。
【００２１】
そして、第１〜第３接続端子１４Ａ〜１４Ｃは特許請求の範囲に記載された装着部に相当するもので、本実施形態では、ＵＳＢ（Universal Serial Bus)規格の接続端子（イン
ターフェース）を装着部として採用しているが、本実施形態は、これに限定されるものではなく、他の規格の接続端子でもよい。
【００２２】
一方、外部記憶装置３０も、第１〜第３接続端子１４Ａ〜１４Ｃに接続可能なインターフェースを有する記憶手段であれば何でもよく、具体的には、フラッシュメモリ等の不揮発性半導体記憶装置にて構成されたＵＳＢメモリやＳＤメモリ（登録商標）、ＨＤＤ等の磁気記憶装置、又は多機能装置１０と直接接続して印刷するための通信規格であるＰｉｃｔＢｒｉｄｇｅに対応したデジタルカメラ等が外部記憶装置３０として考えられる。
【００２３】
また、多機能装置１０は、第１〜第３接続端子１４Ａ〜１４Ｃに接続された外部記憶装置３０に記憶されている印刷ファイル等を多機能装置１０と接続された外部のコンピュータ（図示せず。）を介さずに直接的に印刷（以下、この印刷をダイレクト印刷という。）する機能を有している。
【００２４】
なお、印刷ファイルとは、ＰＤＬ（Page Description Language）形式等の多機能装置
１０にて実行可能な特定形式のデータをいい、本実施形態に係る多機能装置１０は、印刷ファイルに加えて、ＢＭＰ（Bit Map）形式やＪＰＥＧ（Joint Photographic Experts Group）形式等の画像ファイルもダイレクト印刷することができる。
【００２５】
３．本実施形態に係る多機能装置の特徴的作動
本実施形態に係る多機能装置１０では、第１〜第３接続端子１４Ａ〜１４Ｃに装着された外部記憶装置３０へのデータ書込指令を、操作パネル１２等を介してユーザから受け付けたときに、その一度の書込指令により、複数の外部記憶装置３０へデータの書き込みが実行されることを特徴とするものであり、以下、スキャナ部１５で読み取られた画像データ（以下、読取データという。）を外部記憶装置３０に書き込む場合を例に説明する。
【００２６】
３．１．ユーザからの書込指令（図２〜図４参照）
本実施形態では、多機能装置１０にて実行可能な処理として、図２に示すメニュー画面が表示部１３に表示される。
【００２７】
ここで、「複製記憶設定」とは、元のデータ（本実施形態では、読取データ）から新たなデータを生成し、その生成されたデータを複数の外部記憶装置３０に書き込む処理を実行する際に必要な条件をユーザが設定するための選択肢であり、「振り分け処理」とは、ユーザにより設定された複製記憶設定に基づいて、複数の外部記憶装置３０への書込処理を実行させる選択肢である。
【００２８】
そして、「複製記憶設定」がユーザにより選択された状態で、ＯＫボタン１３１がユーザにより押下されると、図２に示すメニュー画面が削除され、図３に示す設定メニュー画面が表示部１３に表示される。
【００２９】
このとき、図３に示す設定メニュー画面において、「複製記憶設定」がユーザにより選択された状態で、ＯＫボタン１３２がユーザにより押下されると、図４に示す階層構造に従って複製記憶設定の詳細設定画面が表示部１３に、順次、表示されていく。
【００３０】
すなわち、「複製記憶設定」がユーザにより選択された状態で、ＯＫボタン１３２がユーザにより押下されると、「濃度設定」、「色設定」及び「解像度設定」の３つの選択肢（以下、これらの選択肢を設定項目という。）が表示部１３に表示される。
【００３１】
そして、いずれかの設定項目がユーザにより選択された状態で、ＯＫボタン１３２がユーザにより押下されると、その選択された設定項目について、第１〜第３接続端子１４Ａ
〜１４Ｃ毎に詳細設定するための設定画面が表示される。
【００３２】
なお、設定項目「濃度設定」に関して、例えば第１接続端子１４Ａの設定は濃度−３、第２接続端子１４Ｂの設定は濃度０、第３接続端子１４Ｃの設定は濃度＋５とすることができる。因みに、マイナス符号は基準（０）に対して濃度が薄い（低い）ことを意味し、プラス符号は基準に対して濃度が濃い（高い）ことを意味する。
【００３３】
同様に、設定項目「色設定」に関して、例えば、第１接続端子１４Ａはモノクロ、第２接続端子１４Ｂはフルカラー、第３接続端子１４Ｃはシアン及びブラックの２色のみ、といった設定が可能であり、設定項目「解像度」に関して、例えば、第１接続端子１４Ａは３００ｄｐｉ、第２接続端子１４Ｂは６００ｄｐｉ、第３接続端子１４Ｃは１２００ｄｐｉ、といった設定が可能である。
【００３４】
なお、図４では、全て設定項目が設定されているかの如く記載されているが、同時に２つ以上の設定項目を満たすデータを新たに生成することは難しいので、本実施形態に係る多機能装置１０では、３つの設定項目のうちいずれか１つの設定項目のみ設定可能であり、同時に２つ以上の設定項目を設定することができない。
【００３５】
そして、いずれかの設定項目について、第１〜第３接続端子１４Ａ〜１４Ｃ毎にユーザにより詳細設定がされた状態でＯＫボタン１３２が押下されると、その設定内容が記憶部１７に記憶される。
【００３６】
また、図３において、「設定なし」がユーザにより選択された状態で、ＯＫボタン１３２がユーザにより押下されると、第１〜第３接続端子１４Ａ〜１４Ｃ毎の現在の設定が消去され、以降、元のデータから新たなデータの生成処理は実行されない。
【００３７】
３．２．振り分け処理（図５参照）
図２に示すメニュー画面において、ユーザにより振り分け処理が選択された状態でＯＫボタン１３１が押下されると、図５に示す制御が起動され、先ず、複製処理を行うデータの部数がユーザにより入力されたか否かが判定され（Ｓ１）、部数が入力されるまで待機状態となる（Ｓ１：ＮＯ）。なお、ユーザは、操作パネル１２に設けられたテンキー（図示せず。）を押下することにより、部数を入力することができる。
【００３８】
そして、部数が入力されたと判定されると（Ｓ１：ＹＥＳ）、複数の外部記憶装置３０が装着されているか否かが判定され（Ｓ５）、複数の外部記憶装置３０が装着されていると判定された場合には（Ｓ５：ＹＥＳ）、複製指定がされているか否か、つまり設定メニュー（図３参照）にて「複製記憶設定」が選択されて、いずれかの設定項目について第１〜第３接続端子１４Ａ〜１４Ｃ毎に詳細設定されたか否かが判定される（Ｓ１０）。
【００３９】
このとき、複製指定がされていないと判定された場合には（Ｓ１０：ＮＯ）、Ｓ１にてユーザにより設定されたと判定された部数（以下、この部数を設定数という。）が２以上であるか否かが判定され（Ｓ１５）、設定数が２以上であると判定された場合には（Ｓ１５：ＹＥＳ）、装着された複数の外部記憶装置３０のうち設定数に相当する数の外部記憶装置３０それぞれに、同一の読取データが書き込まれた後（Ｓ２０）、本制御が終了する。
【００４０】
一方、Ｓ１５にて、設定数が２以上でない、つまり設定数が１であると判定された場合（Ｓ１５：ＮＯ）、又はＳ５にて複数の外部記憶装置３０が装着されていないと判定された場合には（Ｓ５：ＮＯ）、第１〜第３接続端子１４Ａ〜１４Ｃのいずれかに装着されている１つの外部記憶装置３０に読取データが書き込まれた後（Ｓ２５）、本制御が終了す
る。なお、Ｓ２０又はＳ２５にて外部記憶装置３０に書き込まれたデータの詳細説明は後述する。
【００４１】
また、Ｓ１０にて複製指定がされていると判定された場合には（Ｓ１０：ＹＥＳ）、複製記憶設定の設定内容に従って、元データ（読取データ）から新たにデータ（以下、このデータを生成データという。）が生成された後（Ｓ３０）、設定数が２以上であるか否かが判定される（Ｓ３５）。
【００４２】
そして、設定数が２以上であると判定された場合には（Ｓ３５：ＹＥＳ）、装着された複数の外部記憶装置３０のうち設定数に相当する数の外部記憶装置３０それぞれに、同一の生成データが書き込まれた後（Ｓ４０）、本制御が終了する。
【００４３】
一方、Ｓ３５にて、設定数が２以上でないと判定された場合に（Ｓ３５：ＮＯ）、複製記憶設定の設定内容（図４参照）に従って、各第１〜第３接続端子１４Ａ〜１４Ｃに生成データが書き込まれた後（Ｓ４５）、本制御が終了する。なお、Ｓ４０又はＳ４５にて外部記憶装置３０に書き込まれたデータの詳細説明は後述する。
【００４４】
３．３．書込データの詳細
図６は、Ｓ２５による書込処理結果イメージを示しており、例えば、制御部１９のＲＡＭ等に記憶された「Ａ００１．ｊｐｇ」及び「Ａ００２．ｊｐｇ」というファイル名の２つの読取データに対して振り分け処理が指示された場合、いずれか１つの接続端子１４のみに外部記憶装置３０が装着されているとき又は設定数が１であるときには、いずれか１つの接続端子１４に装着された外部記憶装置３０に２つの読取データが書き込まれる。
【００４５】
また、図７は、Ｓ２０による書込処理結果イメージを示しており、制御部１９のＲＡＭ等に記憶された「Ａ００１．ｊｐｇ」及び「Ａ００２．ｊｐｇ」というファイル名の２つの読取データに対して振り分け処理が指示された場合、例えば設定数が３であって、３つの第１〜第３接続端子１４Ａ〜１４Ｃ全てに外部記憶装置３０が装着されているときには、第１接続端子１４Ａに装着された外部記憶装置３０（以下、第１外部記憶装置３１と記す。）、第２接続端子１４Ｂに装着された外部記憶装置３０（以下、第２外部記憶装置３２と記す。）及び第３接続端子１４Ｃに装着された外部記憶装置３０（以下、第３外部記憶装置３３と記す。）それぞれに、同一の読取データ（「Ａ００１．ｊｐｇ」及び「Ａ００２．ｊｐｇ」）が書き込まれる。
【００４６】
ところで、Ｓ２０において、設定数が装着されている外部記憶装置３０の数より小さい場合には、設定数と同数の外部記憶装置３０に対してのみ書き込みが実行される。具体的には、設定数が２のときには、本実施形態では、第１外部記憶装置３１及び第２外部記憶装置３２にのみ同一の読取データが書き込まれ、第３外部記憶装置３３には読取データが書き込まれない。
【００４７】
なお、Ｓ２０において、設定数が装着されている外部記憶装置３０の数より大きい場合には、装着されている全ての外部記憶装置３０それぞれに同一の読取データが書き込まれる。
【００４８】
また、図８は、Ｓ４５による書込処理結果イメージを示している。制御部１９のＲＡＭ等に記憶された「Ａ００１．ｊｐｇ」というファイル名の読取データに対して振り分け処理が指示された場合、例えば設定項目として「解像度」が設定され、かつ、その設定内容が図４に示す内容である場合には、Ｓ３０にて３種類の解像度（３００ｄｐｉ、６００ｄｐｉ及び１２００ｄｐｉ）を有するデータが生成されるとともに、それらの生成データのファイル名は、図８に示すように、設定内容を示す文字、つまり「３００」、「６００」
及び「１２００」が含まれた文字列にて構成される。
【００４９】
そして、Ｓ４５では、３種類の生成データが、図４に示す設定内容に従って各第１〜第３外部記憶装置３１〜３３に書き込まれるので、図８に示すように、第１外部記憶装置３１には、ファイル名が「解像度３００．ｊｐｇ」とされた解像度３００ｄｐｉのデータが書き込まれ、第２外部記憶装置３２には、ファイル名が「解像度６００．ｊｐｇ」とされた解像度６００ｄｐｉのデータが書き込まれ、第３外部記憶装置３３には、ファイル名が「解像度１２００．ｊｐｇ」とされた解像度１２００ｄｐｉのデータが書き込まれる。
【００５０】
また、図９は、Ｓ４０による書込処理結果イメージを示しており、制御部１９のＲＡＭ等に記憶された「Ａ００１．ｊｐｇ」というファイル名の読取データに対して振り分け処理が指示された場合、例えば設定数が３であって、３つの第１〜第３接続端子１４Ａ〜１４Ｃ全てに外部記憶装置３０が装着されているときには、第１〜第３接続端子１４Ａ〜１４Ｃそれぞれに同じ生成データ（「解像度３００．ｊｐｇ」、「解像度６００．ｊｐｇ」、「解像度１２００．ｊｐｇ」）が書き込まれる。
【００５１】
なお、設定数が装着されている外部記憶装置３０の数より少ないときには、Ｓ２０における書込処理と同様に、設定数と同数の外部記憶装置３０に対してのみ書き込みが実行される。
【００５２】
逆に、設定数が装着されている外部記憶装置３０の数より大きい場合には、Ｓ２０における書込処理と同様に、装着されている全ての外部記憶装置３０それぞれに書き込みが実行される。
【００５３】
ところで、図１０は、Ｓ４５による書込処理結果イメージを示し、設定項目として「濃度」が設定された場合の生成データの一例を示しており、この例においても、設定内容を示す文字（「濃度濃い」、「濃度普通」、「濃度薄い」等）が含まれた文字列にて構成される。
【００５４】
また、生成データには、生成データを生成する際の設定内容が付加情報として付加されるので、例えばＷｉｎｄｏｗｓ（登録商標）が組み込まれたコンピュータでは、ユーザは、生成データのプロパティを参照することにより、データ生成時の設定内容を知ることができる。
【００５５】
なお、「プロパティ」とは、オブジェクト指向プログラミングで使用されるオブジェクトが保持している、そのオブジェクトの性質を表すデータをいい、例えば、画像データのオブジェクトならば、高さや幅などのデータをプロパティとして持っている。
【００５６】
４．本実施形態に係る多機能装置の特徴
本実施形態では、書込指令を一度受け付けると、その一度の書込指令により、複数の外部記憶装置３０に対してデータの書き込みが実行されるので、書込処理を実行させたい外部記憶装置３０の数だけ書込指令を繰り返し行う必要がなく、多機能装置１０の利便性を向上させることができる。
【００５７】
また、本実施形態では、一度の書込指令により、新たに生成された生成データが複数の外部記憶装置３０に対して書き込まれるので、多機能装置１０の利便性を更に向上させることができる。
【００５８】
また、本実施形態では、例えば、３種類の生成データが新たに生成された場合には、複数の外部記憶装置３０それぞれに３種類の生成データが書き込まれるので、書込処理を実
行させたい外部記憶装置３０の数だけ書込指令を繰り返し行う必要がなく、多機能装置１０の利便性を向上させることができる。
【００５９】
また、本実施形態では、各第１〜第３接続端子１４Ａ〜１４Ｃに装着された外部記憶装置３０毎に生成データを生成するための所定条件を設定可能であるので、多機能装置１０の利便性を更に向上させることができる。
【００６０】
また、本実施形態では、生成データを生成するための所定条件を示す文字が含まれた文字列を生成データのファイル名として、生成データを生成するので、ユーザは、生成データの概要を容易に推測することができる。
【００６１】
５．発明特定事項と実施形態との対応関係
本実施形態では、表示部１３及び操作パネル１２が特許請求の範囲に記載された受付手段及び設定手段に相当し、Ｓ２０、Ｓ２５、Ｓ４０及びＳ４５が特許請求の範囲に記載された書込手段に相当し、Ｓ３０が特許請求の範囲に記載された生成手段に相当し、スキャナ部１５が特許請求の範囲に記載された読取手段に相当する。
【００６２】
（その他の実施形態）
上述の実施形態では、スキャナ部１５で読み取られた読取データ（元データ）の取り扱いを例に本発明を説明したが、本発明はこれに限定されるものではなく、例えばコンピュータから印刷指示がされた印刷データやダイレクト（セキュア）印刷用の印刷ファイル等を元データとして、この元データの取り扱いにも適用できる。
【００６３】
また、上述の実施形態では、多機能装置に本発明を適用したが、本発明の適用はこれに限定されるものではない。
また、生成データの取り扱いは、上述の実施形態に示された取り扱いに限定されるものではなく、例えば、２つの外部記憶装置３０それぞれにデータを書き込む場合において、元データから生成データを２つ生成し、２つの生成データを各外部記憶装置３０に書き込む、又は元データから生成データを１つ生成し、元データと１つの生成データを各外部記憶装置３０に書き込むようにしてもよい。
【００６４】
また、同一の生成データを書き込む方法として、例えば、元データのコピーを各外部記憶装置３０に書き込む、又は元データが２００ｄｐｉ、生成データが３００ｄｐｉ，４００ｄｐｉであった場合に、２００ｄｐｉのデータ、３００ｄｐｉのデータ、４００ｄｐｉのデータの計３つのデータを、各外部記憶装置３０に３つずつ書き込むようにしてもよい。
【００６５】
また、上述の実施形態では、生成データを生成するための所定条件を示す文字が含まれた文字列を生成データのファイル名として、ユーザが生成データの概要を容易に推測することができるようにしたが、本発明はこれに限定されるものではなく、例えば所定条件を示す文字が含まれた文字列を生成データのファイル情報（付加情報）として生成データに付加してもよい。
【００６６】
また、スキャナ部１５による読取処理と読取データを外部記憶装置３０に書き込む書込処理とを一連の処理として実行開始させる機能が多機能装置１０に備わっている場合、表示部１３に表示されるこの機能のための各種設定画面に、振り分け処理ためのメニュー画面（図２及び図３参照）を含めてもよい。
【００６７】
このようにすれば、操作パネル１２等を介してユーザにより当該機能の実行開始指示がなされると、読取処理、振り分け処理、及び書込処理が一連の処理として実行される。
また、上述の実施形態では、３つの設定項目のうちいずれか１つの設定項目のみ設定可能であったが、本発明はこれに限定されるものではなく、例えば、第１接続端子１４Ａは３００ｄｐｉでモノクロ、第２接続端子１４Ｂは６００ｄｐｉでフルカラー、第３接続端子１４Ｃは１２００ｄｐｉでシアン及びブラックの２色と設定可能とすることもできる。
【００６８】
また、本発明は、特許請求の範囲に記載された発明の趣旨に合致するものであればよく、上述の実施形態に限定されるものではない。
【図面の簡単な説明】
【００６９】
【図１】本実施形態に係る多機能装置１０の概要を示すブロック図である。
【図２】多機能機１０で実行させる処理をユーザが選択するためのメニュー画面の一例を示す図である。
【図３】図２の「複製記憶設定」がユーザにより選択された場合に表示される設定メニュー画面の一例を示す図である。
【図４】図３の「複製記憶設定」において設定可能な設定項目の概念図である。
【図５】図２において「振り分け処理」がユーザにより選択された場合に起動される制御の一例を示すフローチャートである。
【図６】振り分け処理の出力結果イメージを示す概念図である。
【図７】振り分け処理の出力結果イメージを示す概念図である。
【図８】振り分け処理の出力結果イメージを示す概念図である。
【図９】振り分け処理の出力結果イメージを示す概念図である。
【図１０】振り分け処理の出力結果イメージを示す概念図である。
【符号の説明】
【００７０】
１０…多機能装置、１１…記録部、１２…操作パネル、１３…表示部、
１４Ａ…第１接続端子、１４Ｂ…第２接続端子、１４Ｃ…第３接続端子、
１５…スキャナ部、１６…ファクシミリ回路、１７…記憶部、１９…制御部、
３０…外部記憶装置。
【図１】
0004814194.tif 000002
【図２】
0004814194.tif 000003
【図３】
0004814194.tif 000004
【図４】
0004814194.tif 000005
【図５】
0004814194.tif 000006
【図６】
0004814194.tif 000007
【図７】
0004814194.tif 000008
【図８】
0004814194.tif 000009
【図９】
0004814194.tif 000010
【図１０】
0004814194.tif 000011